(57)【要約】【課題】施工が容易でしかも耐久性も良好なタイル張り床面を構成することができる床施工用資材及び床タイル施工方法を提供することを目的とする。【解決手段】本発明の床施工用資材は、位置決め用シート１０と、該位置決め用シート１０に係合するタイル２０とからなる。この位置決め用シート１０は、正方形状の透口よりなる嵌合部１１を有する。タイル２０の裏面にはシート１０と同一厚みの薄板状の裏当材２１が接着されている。シート１０を床に施工した後、タイル２０を嵌合及び接着し、引き続いて目地詰めを行う。【選択図】図１
2005048501.tif 000002
【特許請求の範囲】
【請求項１】
床面上に設置される位置決め用シートと、該シートに位置決めされて設置されるタイルとを備えてなる床施工用資材であって、
該タイルの裏面に薄板状の裏当材が設けられており、
該位置決め用シートには、該裏当材が嵌合する嵌合部が複数個、タイル配列ピッチにて設けられており、
各嵌合部に裏当材を嵌合させてタイルを配設したときに、タイル同士の間に目地間隙が形成されることを特徴とする床施工用資材。
【請求項２】
請求項１において、該位置決め用シートの嵌合部は、該位置決め用シートを厚み方向に貫いた透口よりなることを特徴とする床施工用資材。
【請求項３】
請求項２において、該嵌合部は、位置決め用シートの原シートを打ち抜くことにより形成されたものであり、
打ち抜きにより生じた打ち抜き残片が裏当材として前記タイルの裏面に接着されていることを特徴とする床施工用資材。
【請求項４】
請求項１ないし３のいずれか１項において、前記嵌合部及び裏当材は正多角形であることを特徴とする床施工用資材。
【請求項５】
請求項１ないし４のいずれか１項において、前記タイルの周縁部の下面は、目地側に向って上り勾配の傾斜面となっていることを特徴とする床施工用資材。
【請求項６】
請求項１ないし５のいずれか１項の床施工用資材を用いて床タイル施工する方法において、
床面上に前記位置決め用シートを施設し、該位置決め用シートの嵌合部に裏当材を嵌合させてタイルを配列し、この際、タイル裏当材を床面及び／又は位置決め用シートに接着剤によって接着するようにした方法であって、
該接着剤が硬化する前に目地詰めを行うことを特徴とする床タイル施工方法。
【請求項７】
請求項１ないし５のいずれか１項の床施工用資材を用いて床タイル施工する方法において、
床面上に前記位置決め用シートを施設し、該位置決め用シートの嵌合部に裏当材を嵌合させてタイルを配列し、次いで目地間隙に目地詰めを行うようにした床タイル施工方法であって、
該位置決め用シートの嵌合部にタイル裏当材を嵌合させたときに、タイルの周縁部下面と該位置決め用シートとの間に隙間が形成されるように裏当材が設けられており、目地詰めに際し、目地材料を隙間にも充填することを特徴とする床タイル施工方法。
【発明の詳細な説明】
【技術分野】
【０００１】
本発明は、施工が容易となるように改良された、タイル及び位置決め用シートよりなる床施工用資材と、この床施工用資材を用いた床タイル施工方法とに関するものである。
【背景技術】
【０００２】
タイルを床面に施工する場合、割り付け、墨出し、接着剤塗布、タイル張り、目地調整、養生、目地詰め等の工程を行っているが、このタイル張り工程後、接着剤が硬化してタイルが動かなくなるまでは目地詰めを行うことができないところから、施工時間が長いものとなっていた。通常は、接着剤の養生に半日は必要であり、タイル張りと目地詰めとで最低２日間は掛っている。また、このタイル施工は専門の業者でないと、奇麗な仕上りとすることが難しい。
【０００３】
複数のブロックを一体化させた床敷用マットが実用新案登録第３０５９２００号に記載されている。
【特許文献１】実用新案登録第３０５９２００号
【発明の開示】
【発明が解決しようとする課題】
【０００４】
上記実用新案登録第３０５９２００号の床敷き用マットは床上に単に敷き並べるものであり、目地詰めされた耐久的なタイル床を構築するためのものではない。
【０００５】
本発明は、施工が容易でしかも耐久性も良好なタイル張り床面を構成することができる床施工用資材及び床タイル施工方法を提供することを目的とする。
【課題を解決するための手段】
【０００６】
本発明の床施工用資材は、床面上に設置される位置決め用シートと、該シートに位置決めされて設置されるタイルとを備えてなる床施工用資材であって、該タイルの裏面に薄板状の裏当材が設けられており、該位置決め用シートには、該裏当材が嵌合する嵌合部が複数個、タイル配列ピッチにて設けられており、各嵌合部に裏当材を嵌合させてタイルを配設したときに、タイル同士の間に目地間隙が形成されることを特徴とするものである。
【０００７】
この嵌合部は、位置決め用シートを厚み方向に貫いた透口よりなることが好ましい。
【０００８】
この嵌合部は、位置決め用シートの原シートを打ち抜くことにより形成されたものであり、打ち抜きにより生じた打ち抜き残片が裏当材として前記タイルの裏面に接着されていることが望ましい。
【０００９】
タイルの周縁部の下面は、目地側に向って上り勾配の傾斜面となっていることが好適である。
【００１０】
本発明（請求項６）の床タイル施工方法は、かかる本発明の床施工用資材を用いて床タイル施工する方法であって、床面上に前記位置決め用シートを施設し、該位置決め用シートの嵌合部に裏当材を嵌合させてタイルを配列し、この際、タイル裏当材を床面及び／又は位置決め用シートに接着剤によって接着するようにした方法であって、該接着剤が硬化する前に目地詰めを行うことを特徴とするものである。
【００１１】
本発明（請求項７）の床タイル施工方法は、かかる本発明の床施工用資材を用いて床タイル施工する方法において、床面上に前記位置決め用シートを施設し、該位置決め用シートの嵌合部に裏当材を嵌合させてタイルを配列し、次いで目地間隙に目地詰めを行うようにした床タイル施工方法であって、該位置決め用シートの嵌合部にタイル裏当材を嵌合させたときに、タイルの周縁部下面と該位置決め用シートとの間に隙間が形成されるように裏当材が設けられており、目地詰めに際し、目地材料を隙間にも充填することを特徴とするものである。
【発明の効果】
【００１２】
本発明によると、位置決め用シートを床面に敷設し、この位置決め用シートの嵌合部にタイルの裏当材を嵌合させるようにしてタイルを配設し、次いで目地詰めすることによりタイルの施工を行うことができる。この位置決め用シート及びタイルは、いずれも接着剤で固定されることが望ましい。本発明では、タイルの裏当材を嵌合部に嵌合させており、タイルは位置決め用シートに対し不動となっている。従って、位置決め用シートを部屋等に敷き詰めて不動としておく場合には、接着剤が硬化する前に目地詰め作業を開始することができ、一日でタイル施工作業を終了させることも可能である。
【００１３】
この嵌合部が位置決め用シートを厚み方向に貫いた透口よりなる構成とした場合には、該嵌合部に嵌合した裏当材を接着剤によって直接的に床面に接着することができる。また、この場合、嵌合部は、位置決め用シートの原シートを打ち抜くことにより形成されたものであり、打ち抜きにより生じた打ち抜き残片が裏当材として前記タイルの裏面に接着されているよう構成した場合には、位置決め用シートの製造に際し材料（原シート）に無駄が生じないようになる。また、打ち抜き残片は嵌合部と同一寸法となり、嵌合部にぴったりと嵌合する。
【００１４】
なお、嵌合部及び裏当材は正多角形（正方形を含む。）としてもよく、このようにした場合、タイルの向きを多角形の角に合わせて変更することができるので、寸法がばらついたタイル（焼き物であるため寸法誤差がある。）を施工するときでも目地通りをよくすることができる。
【００１５】
本発明の床タイル施工方法の一態様においては、位置決め用シートの嵌合部にタイル裏当材を嵌合させたときに、タイルの周縁部下面と該位置決め用シートとの間に隙間が形成されるように裏当材が設けられており、目地詰めに際し、目地材料を隙間にも充填する。これにより、タイルの周縁部の強度を高めることができる。即ち、タイル周縁部に目地材料が裏込めされ、該周縁部が裏打ちされた構成となるので、この周縁部に物体が落下しても破損が防止される。
【００１６】
なお、タイルの周縁部の下面を、目地側に向って上り勾配の傾斜面となっている構成とした場合には、目地材料が目地傾斜面からタイル周縁部の下側に流れ込み易くなる。このようにタイル周縁部の下側に目地材料が充填されることにより、破損しやすいタイル周縁が破損しにくいものとなる。
【発明を実施するための最良の形態】
【００１７】
以下、図面を参照して本発明の一例について説明する。
【００１８】
第１図は本発明の一例に係る床施工用資材及び床タイル施工方法を示す分解斜視図、第２図はこの床施工用資材のタイルを裏側から見た斜視図、第３図（ａ）は床タイル施工方法を示す斜視図、第３図（ｂ）は第３図（ａ）のＢ−Ｂ線断面図、第３図（ｃ）は第３図（ｂ）のＣ付近の拡大図、第４図は位置決め用シートの斜視図、第５図は別の位置決め用シートの斜視図、第６図はさらに別の位置決め用シートの斜視図である。
【００１９】
第１図の通り、本発明の床施工用資材は、位置決め用シート１０と、該位置決め用シート１０に係合するタイル２０とからなる。
【００２０】
この位置決め用シート１０は、正方形状の透口（この形態では打ち抜き孔）よりなる嵌合部１１を有する。嵌合部１１は、複数個、縦横に列を揃えるようにして配置されている。嵌合部１１同士の間のシートは、正方形の桝目格子状の枠部１２を構成している。
【００２１】
タイル２０は、陶磁器よりなるものであり、その裏面にはシート１０と同一厚みの薄板状の裏当材２１が接着剤２２（第３図（ｂ），（ｃ）参照）によって接着されている。この裏当材２１は、タイル２０よりも小さい正方形状であり、その辺がタイル２０の辺と平行となるようにタイル２０の裏面に接着されている。タイル２０の中心点と裏当材２１の中心点とは合致しており、従って、タイル２０の裏面の周縁部は裏当材２１が存在せず、タイル２０の裏面が露呈している。
【００２２】
第３図（ｂ），（ｃ）の通り、裏当材２１を床面上の嵌合部１１に嵌合させた場合、この接着剤２２の厚み分だけタイル２０がシート１０から浮いた状態となり、タイル２０の周縁部と位置決め用シート１０の枠部１２との間に接着剤２２の層厚みと同等の隙間Ｓが生じる。ただし、本発明では、この隙間を生じさせるために、裏当材として位置決め用シートよりも厚みが大きいものを用いてもよい。
【００２３】
位置決め用シート１０は、第４図〜第６図に示すシート１０Ａ〜１０Ｃのいずれでもよい。
【００２４】
第４図（ａ）の位置決め用シート１０Ａではシートの直交する２辺に枠部１２が存在し、他の２辺は枠部を有しておらず、嵌合部１１が辺に臨むようになっている。即ち、該他の２辺では、嵌合部１１が切り欠き状に存在している。枠部１２の幅員は、シート１０Ａの全体にわたって均等である。第４図（ｂ）の通り、複数個のシート１０Ａ同士を、枠部を有した辺と、枠部を有していない辺とが当接するように床面上に敷設することにより、嵌合部１１が規則的に配設され、枠部１２が一直線状に連続したものとなる。
【００２５】
第５図（ａ）の位置決め用シート１０Ｂは、四周囲の枠部１２ａが半幅であり、シート中央側の十字形に交叉する枠部１２ｂが全幅（枠部１２ａの２倍幅）である。この位置決め用シート１０Ｂを、第５図（ｂ）のように各々の辺が当接するように床面上に敷設することにより、嵌合部１１が規則的に配設され、枠部１２が一直線状に連続したものとなる。
【００２６】
第６図（ａ）の位置決め用シート１０Ｃは、井桁形状のものである。即ち、嵌合部１１の一辺の長さの半分の長さの突片部１２ｃが各枠部１２の延長方向に突設されている。枠部１２は、突片部１２ｃも含めて全て同一幅である。
【００２７】
この位置決め用シート１０を、各突片部１２ｃが当接するように床面上に敷設することにより、嵌合部１１が規則的に配設され、枠部１２が一直線状に連続したものとなる。
【００２８】
なお、第３図（ｂ）の通り、裏当材２１が当っていないタイル２０の周縁部の幅は、枠部１２の半幅よりも若干小さいものとなっている。このため、裏当材２１を嵌合部１１に嵌合させたときに、隣接するタイル２０同士の間には目地間隙３０が形成される。
【００２９】
また、第３図（ｂ）の通り、タイル２０の裏面の辺縁部は、目地側に向って上り勾配となる斜面２３となっている。
【００３０】
第３図（ｃ）の通り、裏当材２１の側端面は、下方ほど裏当材２１の中央側となる傾斜面となっている。また、嵌合部１１の側面は、上方ほど枠部１２の中央側となる傾斜面となっている。このため、裏当材２１を嵌合部１１に嵌合させ易い。
【００３１】
この位置決め用シート１０は、平たいシート原材を打ち抜き加工して嵌合部１１を形成したものが好ましい。打ち抜きにより生じた残片は、裏当材２１に用いる。これにより、嵌合１１と同一寸法で且つシート１０と同一厚みの裏当材２１が形成される。
【００３２】
この打ち抜き時に用いる刃としてＶ字形断面形状のものを用いることにより、嵌合部１１の側面及び裏当材２１の側端面が第３図（ｃ）の通り傾斜面となる。打ち抜かれた裏当材２１は、表裏反転させてタイル２０の裏面に接着される。
【００３３】
この床施工用資材を用いたタイル施工を行うには、まず床面上に位置決め用シート１０を敷設する。なお、各シート１０は接着剤によって床面に接着される。この接着剤は、篩目鏝などを用いて床面に均一に塗布しておくのが好ましい。次いで、各シート１０の嵌合部１１に裏当材２１を嵌合させてタイル２０を配設する。床面上に塗布しておいた接着剤を介して、タイル２０の裏当材２１が床面に接着される。
【００３４】
嵌合部１１に裏当材２１が嵌合しているので、接着剤が硬化する前でも、作業者がタイル２０上に乗ってもタイル２０が動くことはない。そのため、タイル２０を敷設した後、直ちに目地間隙３０に目地材を充填することができる。
【００３５】
タイル２０の裏面の辺縁部に斜面２３を設けているので、目地材はタイル２０とシート１０の枠部１２との間の隙間Ｓにスムーズに入り込むようになり、タイル２０の周縁部が下側から支承されるようになる。このため、タイル２０の周縁部に物を落としてもタイル２０の破損が防止される。
【００３６】
上記の形態では、裏当材２１は正方形状であるが、長方形状でもよく、六角形、八角形等の多角形であってもよい。
【００３７】
上記の位置決め用シートの材質としては、合板、ハードボード、ＭＤＦなどが好適であるが、これに限定されない。
【図面の簡単な説明】
【００３８】
【図１】本発明の一例に係る床施工用資材及び床タイル施工方法を示す分解斜視図である。
【図２】床施工用資材を構成するタイルの裏側からの斜視図である。
【図３】（ａ）は床タイル施工方法を示す斜視図、（ｂ）は（ａ）のＢ−Ｂ線断面図、（ｃ）は（ｂ）のＣ付近の拡大図である。
【図４】位置決め用シートの斜視図である。
【図５】別の位置決め用シートの斜視図である。
【図６】さらに別の位置決め用シートの斜視図である。
【符号の説明】
【００３９】
１０，１０Ａ，１０Ｂ，１０Ｃ  位置決め用シート
１１  嵌合部
１２  枠部
２０  タイル
２１  裏当材
２２  接着剤
２３  斜面
【図１】
2005048501.tif 000003
【図２】
2005048501.tif 000004
【図３】
2005048501.tif 000005
【図４】
2005048501.tif 000006
【図５】
2005048501.tif 000007
【図６】
2005048501.tif 000008